【手続補正書】
【提出日】平成20年7月16日(2008.7.16)
【手続補正１】
【補正対象書類名】特許請求の範囲
【補正対象項目名】全文
【補正方法】変更
【補正の内容】
【特許請求の範囲】
【請求項１】
近接照射療法アプリケーターであって：
放射活性供給源管腔；
該放射活性供給源管腔にともなう少なくとも１つのシールド；および
該放射活性供給源管腔に対して少なくとも１つの方向で、該少なくとも１つのシールドの動きを制御し得る、該少なくとも１つのシールドに連結された機械的機構、を備える、近接照射療法アプリケーター。
【請求項２】
放射活性供給源が、放射活性供給源管腔中に後装填される、請求項１に記載の近接照射療法アプリケーター。
【請求項３】
前記少なくとも１つのシールドが、前記供給源管腔の内側にある、請求項１に記載の近接照射療法アプリケーター。
【請求項４】
前記機械的機構が、遠隔計測信号を通じて遠隔から制御される、請求項１に記載の近接照射療法アプリケーター。
【請求項５】
前記少なくとも１つの方向における移動が、直線状、または回転運動である、請求項１に記載の近接照射療法アプリケーター。
【請求項６】
前記少なくとも１つのシールドの位置を確認するフィードバック機構をさらに備える、請求項１に記載の近接照射療法アプリケーター。
【請求項７】
前記フィードバック機構が、オプティオエレクトロニクスを備える、請求項６に記載の近接照射療法アプリケーター。
【請求項８】
前記供給源管腔に連結された少なくとも１つの位置決めマーカーをさらに備える、請求項１に記載の近接照射療法アプリケーター。
【請求項９】
前記供給源管腔の上に適合するキャップをさらに備える、請求項１に記載の近接照射療法アプリケーター。
【請求項１０】
前記キャップ中に少なくとも１つの位置決めマーカーをさらに備える、請求項９に記載の近接照射療法アプリケーター。
【請求項１１】
前記キャップ上に少なくとも１つの位置決めマーカーをさらに備える、請求項９に記載の近接照射療法アプリケーター。
【請求項１２】
近接照射療法アプリケーターであって：
旋回ジョイント；
放射活性供給源管腔を有するタンデムであって、タンデムアームを通って該旋回ジョイントに連結されるタンデム；
放射活性供給源管腔を有する少なくとも１つのオボイドであって、オボイドアームを通って該旋回ジョイントに連結される、少なくとも１つのオボイド；および
該少なくとも１つのオボイドにともなう少なくとも１つのシールドであって、遠隔から移動可能である、少なくとも１つのシールド、を備える、近接照射療法アプリケーター。
【請求項１３】
前記少なくとも１つのオボイドの放射活性供給源管腔が、放射活性供給源で後装填される、請求項１２に記載の近接照射療法アプリケーター。
【請求項１４】
前記放射活性供給源が、前記オボイドアームを通って前記放射活性供給源供給源に後装填される、請求項１３に記載の近接照射療法アプリケーター。
【請求項１５】
前記少なくとも１つのオボイドが外側ケーシングをさらに備え、そして前記少なくとも１つのシールドが該少なくとも１つのオボイドの外側ケーシングの内部にある、請求項１２に記載の近接照射療法アプリケーター。
【請求項１６】
少なくとも１つのシールドを含み、該シールドがギア相互作用領域および反対ねじ部材を含むシールドトラック；
該シールドのギア相互作用領域と相互作用する関連ギアを有する回転シャフト；および
該シールドトラックの反対ねじ部材と相互作用するねじ部分を有する直線状シャフト；をさらに備える、請求項１２に記載の近接照射療法アプリケーター。
【請求項１７】
前記少なくとも１つのオボイドの放射活性管腔が、放射活性供給源で後装填される、請求項１６に記載の近接照射療法アプリケーター。
【請求項１８】
前記放射活性供給源が、前記オボイドアームを通って前記放射活性供給源管腔中に後装填される、請求項１６に記載の近接照射療法アプリケーター。
【請求項１９】
前記少なくとも１つのオボイドが外側ケーシングをさらに備え、そして前記少なくとも１つのシールドが該少なくとも１つのオボイドの外側ケーシングの内部にある、請求項１６に記載の近接照射療法アプリケーター。
【請求項２０】
前記少なくとも１つのシールドが、タングステンまたはタングステン合金を含む、請求項１６に記載の近接照射療法アプリケーター。
【請求項２１】
前記回転シャフトまたは長軸方向シャフトが、ニッケル−チタンを含む、請求項１６に記載の近接照射療法アプリケーター。
【請求項２２】
前記回転シャフトまたは長軸方向シャフトに回転力を付与するための手動機構をさらに備える、請求項１６に記載の近接照射療法アプリケーター。
【請求項２３】
前記回転シャフトまたは長軸方向シャフトへの回転力を制御する制御ステーションをさらに備える、請求項１６に記載の近接照射療法アプリケーター。
【請求項２４】
新生物障害を処置するためのシステムであって：
請求項１に記載の近接照射療法アプリケーター；
請求項１に記載の近接照射療法アプリケーターを身体腔中に挿入するための手段；
該身体腔中への挿入の後、請求項１に記載の近接照射療法アプリケーターの前記少なくとも１つのシールドの位置を改変するための手段；および
新生物組織を照射するための手段、を備える、システム。
【請求項２５】
処置の間のイメージ獲得相の間に少なくとも１つのシールドの位置を改変し、前記アプリケーターの存在によって引き起こされるイメージアーチファクトの質を改変するための手段をさらに備える、請求項２４に記載のシステム。
【請求項２６】
放射活性供給源が、請求項１に記載の近接照射療法アプリケーター中に装填された後、前記少なくとも１つのシールドの位置を改変するための手段をさらに備える、請求項２４に記載のシステム。
【請求項２７】
放射活性の用量分与を改変する目的のために前記少なくとも１つのシールドの位置を変えるための手段をさらに備える、請求項２４に記載のシステム。
【請求項２８】
前記放射活性用量分与が、正常組織に付与される放射活性用量を減少するように改変される、請求項２７に記載のシステム。
【請求項２９】
前記正常組織が、頸部組織または膀胱組織である、請求項２８に記載のシステム。
【請求項３０】
新生物障害を処置するためのシステムであって：
請求項１２に記載の近接照射療法アプリケーター；
請求項１２に記載の近接照射療法アプリケーターを身体腔中に挿入するための手段；
該身体腔中への挿入の後、請求項１２に記載の近接照射療法アプリケーターの前記少なくとも１つのシールドの位置を改変するための手段；および
新生物組織を照射するための手段、を備える、システム。
【請求項３１】
処置の間のイメージ獲得相の間に少なくとも１つのシールドの位置を改変し、前記アプリケーターの存在によって引き起こされるイメージアーチファクトの質を改変するための手段をさらに備える、請求項３０に記載のシステム。
【請求項３２】
放射活性供給源が、請求項１２に記載の近接照射療法アプリケーター中に装填された後、前記少なくとも１つのシールドの位置を改変するための手段をさらに備える、請求項３０に記載のシステム。
【請求項３３】
放射活性の用量分与を改変する目的のために前記少なくとも１つのシールドの位置を変えるための手段をさらに備える、請求項３０に記載のシステム。
【請求項３４】
前記放射活性用量分与が、正常組織に付与される放射活性用量を減少するように改変される、請求項３３に記載のシステム。
【請求項３５】
前記正常組織が、頸部組織または膀胱組織である、請求項３４に記載のシステム。